(57)【要約】【課題】美容液中に水素を十分に溶存させることができ、水素を十分に溶存させた美容液を確実に吐出できる水素溶存美容液の吐出装置を提供することを目的とする。【解決手段】美容液を収容する美容液収容部２と、美容液収容部２に収容された美容液中に水素を発生させる水素発生部３１と、水素を溶存させた美容液を美容液収容部２から外部に吐出するポンプ４と、を備えた水素溶存美容液の吐出装置１であり、水素発生部３１は、美容液収容部２のうち深い位置の深部領域２ａに設けられ、かつ深部領域２ａを構成する周壁２０５との間に隙間Ｓを空けて配置されており、ポンプ４は、当該ポンプ４の下端部に設けられ、かつ美容液収容部２に収容された美容液内に差し入れられる吸い込み部４０ａを有する。【選択図】図４
2019042140.tif 000002
【特許請求の範囲】
【請求項１】
美容液を収容する美容液収容部と、
前記美容液収容部に収容された美容液中に水素を発生させる水素発生部と、
水素を溶存させた美容液を前記美容液収容部から外部に吐出するポンプと、を備えた水素溶存美容液の吐出装置であって、
前記水素発生部は、前記美容液収容部のうち深い位置の深部領域に設けられ、かつ前記深部領域を構成する周壁との間に隙間を空けて配置されており、
前記ポンプは、当該ポンプの下端部に設けられ、かつ前記美容液収容部に収容された美容液内に差し入れられる吸い込み部を有することを特徴とする水素溶存美容液の吐出装置。
【請求項２】
請求項１に記載の水素溶存美容液の吐出装置において、
前記水素発生部は、美容液の水分を電気分解するための電極部が備える陽極と陰極のうち前記陰極であることを特徴とする水素溶存美容液の吐出装置。
【請求項３】
請求項２に記載の水素溶存美容液の吐出装置において、
前記深部領域を構成する周壁は、前記陰極側及び前記隙間側に位置する第一周壁と、前記陽極側に位置する第二周壁と、を有しており、
前記陰極と前記第一周壁との間隔は、前記陽極と前記第二周壁との間隔よりも広く設定されていることを特徴とする水素溶存美容液の吐出装置。
【請求項４】
請求項１〜３のいずれか一項に記載の水素溶存美容液の吐出装置において、
前記深部領域は、前記美容液収容部のうち浅い位置の浅部領域よりも窄まるように形成されて容積が小さく設定されていることを特徴とする水素溶存美容液の吐出装置。
【請求項５】
請求項４に記載の水素溶存美容液の吐出装置において、
前記美容液収容部は、前記浅部領域から前記深部領域に向かって傾斜する傾斜部を有しており、
前記傾斜部の上方に、前記ポンプの前記吸い込み部が位置していることを特徴とする水素溶存美容液の吐出装置。
【発明の詳細な説明】
【技術分野】
【０００１】
本発明は、水素溶存美容液の吐出装置に関する。
【背景技術】
【０００２】
近年、水素水、水素ガス吸入器などの「水素」商材が、医療機関、治療院、エステサロン、美容院、スポーツジム等の施設で導入されている。２０１６年には、水素ガスを用いた治療方法が、厚生労働省により先進医療Ｂとして認められた。
【０００３】
ところで、近年、人体の皮膚における活性酸素が、健康や美容にマイナスの影響を及ぼすことが知られており、例えば特許文献１に記載のように、水素が溶存された美容液を皮膚に直接供給し、水素を活性酸素と反応させて無害化する技術が提案されている。
【先行技術文献】
【特許文献】
【０００４】
【特許文献１】特許第６０５０５４７号公報
【発明の概要】
【発明が解決しようとする課題】
【０００５】
しかしながら、特許文献１に記載の技術では、容器から排出された美容液が水素発生部を通過する僅かな時間のタイミングで水素を発生させているため、美容液中に水素を十分に溶存させることが難しいという問題があった。
【０００６】
本発明は上記事情に鑑みてなされたものであり、美容液中に水素を十分に溶存させることができ、水素を十分に溶存させた美容液を確実に吐出できる水素溶存美容液の吐出装置を提供することを目的とする。
【課題を解決するための手段】
【０００７】
請求項１に記載の発明は、例えば図１〜図９に示すように、
美容液を収容する美容液収容部２と、
前記美容液収容部２に収容された美容液中に水素を発生させる水素発生部３１と、
水素を溶存させた美容液を前記美容液収容部２から外部に吐出するポンプ４と、を備えた水素溶存美容液の吐出装置１であって、
前記水素発生部３１は、前記美容液収容部２のうち深い位置の深部領域２ａに設けられ、かつ前記深部領域２ａを構成する周壁２０５との間に隙間Ｓを空けて配置されており、
前記ポンプ４は、当該ポンプ４の下端部に設けられ、かつ前記美容液収容部２に収容された美容液内に差し入れられる吸い込み部４０ａを有することを特徴とする。
【０００８】
請求項１に記載の発明によれば、水素発生部３１は、美容液収容部２のうち深い位置の深部領域２ａに設けられ、かつ深部領域２ａを構成する周壁２０５との間に隙間Ｓを空けて配置されているので、水素発生部３１から発生する水素は、当該隙間Ｓと美容液収容部２の上方の領域（浅部領域２ｂ）に放出され、美容液収容部２内に広がりやすくなる。
また、ポンプ４は、当該ポンプ４の下端部に設けられ、かつ美容液収容部２に収容された美容液内に差し入れられる吸い込み部４０ａを有するので、美容液収容部２に収容された美容液を、吸い込み部４０ａを通じてポンプ４で汲み上げて確実に吐出することができる。
これによって、美容液中に水素を十分に溶存させることができ、水素を十分に溶存させた美容液を確実に吐出することが可能となる。
【０００９】
請求項２に記載の発明は、例えば図３〜図６に示すように、請求項１に記載の水素溶存美容液の吐出装置１において、
前記水素発生部３１は、美容液の水分を電気分解するための電極部３が備える陽極３０と陰極３１のうち前記陰極３１であることを特徴とする。
【００１０】
請求項２に記載の発明によれば、水素発生部３１は、美容液の水分を電気分解するための電極部３が備える陽極３０と陰極３１のうち陰極３１であるため、陰極３１である水素発生部３１から、陽極３０から発生する酸素の２倍の体積の水素を発生させることができる。これによって、酸素に比して量が多く発生する水素を美容液中に溶存させることができる。
【００１１】
請求項３に記載の発明は、例えば図４〜図６に示すように、請求項２に記載の水素溶存美容液の吐出装置１において
前記深部領域２ａを構成する周壁２０５は、前記陰極３１側及び前記隙間Ｓ側に位置する第一周壁２０５ａと、前記陽極３０側に位置する第二周壁２０５ｂと、を有しており、
前記陰極３１と前記第一周壁２０５ａとの間隔は、前記陽極３０と前記第二周壁２０５ｂとの間隔よりも広く設定されていることを特徴とする。
【００１２】
請求項３に記載の発明によれば、陰極３１と第一周壁２０５ａとの間隔は、陽極３０と第二周壁２０５ｂとの間隔よりも広く設定されているので、陰極３１である水素発生部３１から発生する水素は、陰極３１と第一周壁２０５ａとの間の隙間Ｓを利用して、酸素よりも美容液中に広がりやすくなる。反対に、陽極３０から発生する酸素は、第二周壁２０５ｂとの間隔が狭いため、水素よりも美容液中に広がりにくくなる。
【００１３】
請求項４に記載の発明は、例えば図４〜図６に示すように、請求項１〜３のいずれか一項に記載の水素溶存美容液の吐出装置１において、
前記深部領域２ａは、前記美容液収容部２のうち浅い位置の浅部領域２ｂよりも窄まるように形成されて容積が小さく設定されていることを特徴とする。
【００１４】
請求項４に記載の発明によれば、深部領域２ａは、美容液収容部２のうち浅い位置の浅部領域２ｂよりも窄まるように形成されて容積が小さく設定されているので、深部領域２ａから美容液収容部２内に広がろうとする水素が、上方の浅部領域２ｂに向かうにつれて広く拡散するため、水素発生部３１から発生する水素は、美容液収容部２内に、より広がりやすくなる。
【００１５】
請求項５に記載の発明は、例えば図４〜図６に示すように、請求項４に記載の水素溶存美容液の吐出装置１において、
前記美容液収容部２は、前記浅部領域２ｂから前記深部領域２ａに向かって傾斜する傾斜部２０４を有しており、
前記傾斜部２０４の上方に、前記ポンプ４の前記吸い込み部４０ａが位置していることを特徴とする。
【００１６】
請求項５に記載の発明によれば、美容液収容部２は、浅部領域２ｂから深部領域２ａに向かって傾斜する傾斜部２０４を有しているので、深部領域２ａから美容液収容部２内に広がろうとする水素が、傾斜部２０４に沿って拡散することになり、美容液収容部２内における水素の部分的な滞留が起きにくくなる。
また、このように美容液収容部２が傾斜部２０４を有していれば、美容液が美容液収容部２に収容された場合に、例えば傾斜部２０４がない場合に比して、美容液の水位を高くすることができるので、ポンプ４の吸い込み部４０ａを必要以上に、美容液収容部２の深い位置まで差し入れなくても、美容液の汲み上げを行うことができる。
さらに、浅部領域２ｂから深部領域２ａに向かって傾斜する傾斜部２０４の上方に、ポンプ４の吸い込み部４０ａが位置しているので、例えば吐出装置１を傾けて、美容液を深部領域２ａから浅部領域２ｂの傾斜部２０４側に移した場合に水面の高さが高くなる。そのため、美容液を、吸い込み部４０ａを通じてポンプ４で汲み上げやすくなり、美容液収容部２内に残存する美容液の量を少なくすることができる。
【発明の効果】
【００１７】
本発明によれば、美容液中に水素を十分に溶存させることができ、水素を十分に溶存させた美容液を確実に吐出することができる。
【図面の簡単な説明】
【００１８】
【図１】水素溶存美容液の吐出装置を示す斜視図である。
【図２】キャップを取り外した状態の吐出装置を示す斜視図である。
【図３】ケースを取り除いた状態の吐出装置示す斜視図である。
【図４】吐出装置を示す断面図である。
【図５】美容液収容部における底部を示す斜視図である。
【図６】美容液収容部及びその近傍を示す斜視断面図である。
【図７】パッキンを示す斜視図である。
【図８】美容液収容部における蓋部を示す斜視図である。
【図９】吐出装置の変形例を示す斜視図である。
【発明を実施するための形態】
【００１９】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２０】
図１等において符号１は、水素が溶存した美容液（水素溶存美容液）を吐出することが可能な吐出装置を示す。この吐出装置１は、人が持って操作可能なサイズに形成され、携帯するなどして自由に持ち運ぶことも可能となっている。すなわち、吐出装置１は、例えば医療機関、治療院、エステサロン、美容院、スポーツジム等の施設に据え置かれるような大型の装置ではなく、人が手に持って使用できる装置である。
【００２１】
吐出装置１は、図１に示すように、水素溶存美容液を外部に吐出するための主要部を覆う筒状のケース１０とキャップ１１を備える。また、筒状のケース１０の下端部には、当該下端部の開口を閉塞する下蓋１０ａが設けられている。
キャップ１１を取り外すと、図２に示すように、吐出装置１における主要部の一部が露出し、水素溶存美容液を吐出可能な状態となる。より具体的に説明すると、吐出装置１の主要部は、上端部のプッシュボタン４２（後述する。）を押下することで、内部の水素溶存美容液を吐出できるポンプ型の構造となっている。
【００２２】
ケース１０は、本実施形態においては略円筒状に形成されている。これに伴って、キャップ１１及び下蓋１０ａも、平面視又は底面視において円状に形成されている。
より詳細に説明すると、ケース１０及びキャップ１１は、これらケース１０とキャップ１１との間に位置し、かつ外部に露出するフランジ部２０１（後述する。）に向かって徐々に窄まるようにして形成されている。
また、ケース１０及びキャップ１１の表面には、略楕円状の指掛かり１２が、周方向に間隔を空けて複数形成されている。指掛かり１２は、ケース１０からキャップ１１にかけて連続性を持ったデザインとなるように形成されている。このような指掛かり１２が、ケース１０及びキャップ１１の表面に形成されているので、吐出装置１が持ちやすくなり、キャップ１１も取り外しやすくなる。
吐出装置１の主要部も、このようなケース１０等の形状に合わせ、平面視において略円状に形成されている。すなわち、本実施形態における吐出装置１は、平面視において、円を基調とした形状・デザインとなるように形成されている。ただし、これに限られるものではなく、三角、四角を始めとする多角形状や、その他の平面形状を基調とした形状・デザインとなるように形成されてもよい。
なお、ケース１０及びキャップ１１は、樹脂によって構成されており、光を通過させないものとなっている。
【００２３】
ケース１０等によって覆われた吐出装置１の主要部は、図４に示すように、美容液（水素溶存美容液）を収容する美容液収容部２と、美容液収容部２に収容された美容液中に水素を発生させる水素発生部３１と、上記したプッシュボタン４２を有し、水素溶存美容液を美容液収容部２から外部に吐出するポンプ４と、を備える。
【００２４】
美容液収容部２は、上述のように美容液を収容するものであり、より詳細には、美容液を収容するための空間を形成するものである。また、美容液収容部２は、ケース１０の上端部に、当該上端部の開口を閉塞するようにして設けられている。さらに、美容液収容部２は、ケース１０の上端部から上方に突出しており、吐出装置１の不使用時にはキャップ１１によって覆われ、使用時には外部に露出する。
【００２５】
このような美容液収容部２は、ケース１０の上端部に固定された底部２０と、底部２０と組み合わされて美容液の収容空間を形成する蓋部２１と、底部２０と蓋部２１との間に挟み込まれるパッキン２２と、底部２０と蓋部２１とを連結する連結部２３と、を有する。
底部２０と蓋部２１とが組み合わされて形成される美容液の収容空間は、美容液収容部２のうち深い位置の深部領域２ａと、浅い位置の浅部領域２ｂとに領域分けされている。これら深部領域２ａと浅部領域２ｂとの境界は、後述する傾斜部２０４の下端部の位置である。水素発生部３１は、その大部分もしくは全てが境界よりも下方に位置するようにして深部領域２ａに設けられている。
なお、浅部領域２ｂは、美容液を収容する空間のうち深部領域２ａを除く空間を指しているものとする。
また、深部領域２ａは、浅部領域２ｂよりも窄まるように形成されて容積が小さく設定されている。
【００２６】
底部２０は、図４〜図６に示すように、美容液収容部２の底部側（およそ下半分）を構成するものであり、断面視において、美容液を収容できるような鉢型に形成されている。また、この底部２０は、透明又は透光性を有する材質のものであり、本実施形態においては樹脂によって構成されている。
このような底部２０は、フランジ部２０１と、立ち上がり部２０２と、上面板部２０３と、傾斜部２０４と、周壁２０５と、底面板部２０６と、基板保持部２０７と、を備える。
【００２７】
フランジ部２０１は、図１〜図６に示すように、底部２０の下端部における外周縁部から外側に張り出すように形成されており、上述のように、ケース１０とキャップ１１との間に位置し、かつ外部に露出している。
なお、このフランジ部２０１は、その下面部に、ケース１０の上端部における開口に設けられた凹凸構造に対して嵌合する凹凸嵌合構造を備えている。
また、ケース１０とキャップ１１との間に位置して外部に露出するフランジ部２０１は、ケース１０及びキャップ１１の表面に形成された指掛かり１２に対応して形成されており、図５に示すように、正円よりも歪んだ状態となっている。
【００２８】
立ち上がり部２０２は、図４〜図６に示すように、フランジ部２０１から上方に立ち上がる円筒状の壁であり、その外周面には、連結部２３における雌ネジ（後述する。）と噛み合う雄ネジが形成されている。
【００２９】
上面板部２０３は、図４〜図６に示すように、立ち上がり部２０２の上端部に設けられた板部であり、中央には、略三角形状の開口２０３ａが形成されている。
また、上面板部２０３の上面には、図５に示すように、上方に突出する突部２０３ｂが複数設けられている。これら突部２０３ｂは、パッキン２２に形成される凹型の切欠部２２ｂ（後述する。）に合致するものであり、傾斜部２０４における堤部２０４ａ（後述する。）に一体形成されている。
さらに、上面板部２０３の周縁部には、図５に示すように、当該周縁部に沿って連続する位置決め壁部２０３ｃが設けられている。この位置決め壁部２０３ｃの内側には、パッキン２２が嵌まるようにして設けられている。
【００３０】
傾斜部２０４は、上面板部２０３に形成された略三角形状の開口２０３ａのうち、一つの頂点と、当該一つの頂点を形成する二つの辺に相当する開口縁部から下方に向かって湾曲傾斜するように形成されている。また、この傾斜部２０４の下端部は、深部領域２ａの上端に位置している。
すなわち、例えば傾斜部２０４の任意の箇所に液体を滴下した場合、その液体は中央に寄り集まりながら下方へと流れていくことになる。そして、下方へと流れたその先には深部領域２ａがあり、液体は深部領域２ａに貯まっていくことになる。傾斜部２０４は、以上のように形成されており、収容された美容液を深部領域２ａに流すことができるようになっている。
また逆に、吐出装置１が傾けられて、美容液が、深部領域２ａから浅部領域２ｂに移された時は、傾斜部２０４における前記一つの頂点に向かって寄り集まりながら流れていくことになる。
【００３１】
傾斜部２０４の上端部は堤部２０４ａとされており、この堤部２０４ａは、上面板部２０３の上面よりも上方に突出するように形成されている。傾斜部２０４は、上述のように略三角形状の開口２０３ａにおける一つの頂点と二つの辺に相当する縁部から下方に湾曲傾斜して形成されるものであるため、その上端部である堤部２０４ａは、図５に示すように「＜（不等号を表す記号）」型に形成されている。
このような堤部２０４ａがあることで、美容液が傾斜部２０４に滴下された場合に、美容液が堤部２０４ａの外側に跳ねたり、溢れ出たりしにくくなるので、美容液を下方に流しやすくなる。
【００３２】
周壁２０５は、上面板部２０３に形成された略三角形状の開口２０３ａのうち、傾斜部２０４が形成されていない辺に相当する開口縁部を上端部とする第一周壁２０５ａと、当該第一周壁２０５ａと対向し、かつ傾斜部２０４の下端部と一体形成された第二周壁２０５ｂと、第一周壁２０５ａと第二周壁２０５ｂの両端部間に設けられた他の周壁と、を備える。
また、第一周壁２０５ａ及び第二周壁２０５ｂの両端部側には、前記他の周壁に沿って柱部２０５ｃ，２０５ｄが設けられている。これら柱部２０５ｃ，２０５ｄの上端部は、上面板部２０３の上面よりも上方に突出しており、傾斜部２０４における堤部２０４ａと略等しい高さに設定されている。これら柱部２０５ｃ，２０５ｄは、略三角形状の開口２０３ａのうち、傾斜部２０４が形成されていない二つの頂点の箇所に位置している。
そして、各周壁２０５ａ，２０５ｂを備えた周壁２０５と、柱部２０５ｃ，２０５ｄによって取り囲まれた位置が、美容液を収容する空間における深部領域２ａとされている。
【００３３】
底面板部２０６は、周壁２０５の下端部に設けられて、底部２０全体の底面を形成するものである。
また、底面板部２０６には、水素発生部３１が設けられているとともに、この水素発生部３１に電気を供給する給電端子３１ａを通すための貫通孔（図示省略）が形成されているものとする。
【００３４】
基板保持部２０７は、後述する制御部の制御基板３３を保持する一対の突出部であり、図３，図４に示すように、上面板部２０３の下面に一体形成され、かつ当該上面板部２０３の下面から下方に突出している。
一対の基板保持部２０７は間隔を空けて配置されており、制御基板３３は、これら一対の基板保持部２０７間に挟み込まれるようにして保持されている。
【００３５】
以上のような底部２０の上面には、図４，図６に示すように、パッキン２２が載せられている。パッキン２２は、図７に示すように円状であり、中央に略三角形状の開口２２ａが形成されている。当該開口２２ａは、底部２０における上面板部２０３の上面に突出して設けられた堤部２０４ａ及び柱部２０５ｃ，２０５ｄが嵌まり込むようになっている。
また、パッキン２２の開口２２ａの三つの開口縁部には切欠部２２ｂがそれぞれ形成されており、上記の堤部２０４ａに一体形成された複数の突部２０３ｂが嵌まり込むようになっている。
さらに、パッキン２２の上面には、周方向に連続して形成された突条部２２ｃが設けられており、蓋部２１の位置決めに用いられる。
そして、このようなパッキン２２は、上面板部２０３の周縁部に設けられた位置決め壁部２０３ｃの内側に嵌まるようにして設けられている。
【００３６】
続いて、蓋部２１は、図４，図６，図８に示すように、底部２０と組み合わされて美容液の収容空間を形成するものであり、底部２０の上面に載せられたパッキン２２の更に上面に載せられている。また、この蓋部２１は、透明又は透光性を有する材質のものであり、本実施形態においては樹脂によって構成されている。
このような蓋部２１は、被係合部付きフランジ部２１１と、底部２０と共に浅部領域２ｂを形成する筒状壁部２１２と、注ぎ口部２１３と、を備える。
【００３７】
被係合部付きフランジ部２１１は、蓋部２１の下端部における外周縁部から外側に張り出すように形成されている。
また、この被係合部付きフランジ部２１１の張出方向先端には、連結部２３の上端部に設けられた係合部２３ａ（後述する。）が係合する被係合部２１１ａが設けられている。被係合部２１１ａは、周方向に連続し、かつ上方に突出するようにして形成されている。
また、被係合部付きフランジ部２１１の下面には、パッキンの上面に設けられた突条部２２ｃが嵌まる凹溝が形成されている。蓋部２１は、この凹溝が、パッキン２２の突条部２２ｃに嵌まるようにしてパッキン２２の上面に載せることで位置決めが行われる。
【００３８】
筒状壁部２１２は、被係合部付きフランジ部２１１から上方に立ち上がる筒状の壁であり、美容液収容部２の上部側（およそ上半分）を構成している。
また、筒状壁部２１２は、上下に貫通する中空部２１２ａを有しており、この中空部２１２ａが、美容液を収容する空間の一部（およそ上半分）となっている。
中空部２１２ａは、図示はしないが、底部２０の上面の形状（堤部２０４ａ及び柱部２０５ｃ，２０５ｄ）に合致するように、略三角形状に開口するように形成されている。すなわち、蓋部２１を底面視した場合には、中央に、略三角形状の開口が見えるようになっている。そのため、蓋部２１を、パッキン２２の上面に載せた時に、中空部２１２ａの下端部開口に対して、底部２０の上面形状が嵌まり、位置決めできるようになっている。
なお、このように筒状壁部２１２が略三角形筒状に形成され、底部２０における傾斜部２０４等も略三角形状に形成されているため、美容液収容部２における浅部領域２ｂは、全体的に略三角形筒状に形成されている。一方、深部領域２ａは、第一周壁２０５ａと、第二周壁２０５ｂと、両端部の他の周壁及び二本の柱部２０５ｃ，２０５ｄによって、略四角形筒状に形成されている。そして、深部領域２ａは、浅部領域２ｂよりも窄まるように形成されて容積が小さく設定されている。
【００３９】
注ぎ口部２１３は、筒状壁部２１２の上端部に一体形成された円筒状の立ち上がりであり、上下に貫通する中空部２１３ａを有している。この中空部２１３ａの上端部開口が、美容液の注ぎ口２１３ｂとされている。また、この中空部２１３ａは、上記した筒状壁部２１２の中空部２１２ａと連通しており、注ぎ口２１３ｂから滴下された美容液は、注ぎ口部２１３の中空部２１３ａと、筒状壁部２１２の中空部２１２ａを通過するようになっている。
また、この注ぎ口部２１３の外周面には、蓋部２１とポンプ４との連結に用いられる雄ネジが形成されている。
【００４０】
続いて、連結部２３は、底部２０と蓋部２１とを連結する筒状体であり、その内周面には、上記した底部２０における立ち上がり部２０２の雄ネジと噛み合う雌ネジが形成されている。また、この連結部２３の上端部には、内側に巻き込むようにして形成された係合部２３ａが形成されている。
このような連結部２３は、パッキン２２を挟んだ状態で重なり合う底部２０と蓋部２１の外側に被さるようにして設けられる。そして、内周面の雌ネジと、底部２０における立ち上がり部２０２の雄ネジとを噛み合わせるようにしながら連結部２３を回転させることで、連結部２３は徐々に下方に移動するようになっている。連結部２３が最も下方まで移動した際には、係合部２３ａが、上記した被係合部付きフランジ部２１１の被係合部２１１ａに対して係合するとともに、蓋部２１を、底部２０側にきつく締め付けることができるようになっている。これにより、底部２０と蓋部２１とを連結することができる。
【００４１】
なお、底部２０と蓋部２１は、上述のように透明又は透光性を有する樹脂によって構成されるものとしたが、連結部２３は、金属又は金属様に加工された樹脂によって構成されており、底部２０と蓋部２１とは異なり、光を通過させないものとなっている。
また、この連結部２３の外周面にも、ケース１０の表面に形成された指掛かり１２に対応する半円型の面２３ｂが複数形成されている。また、これら半円型の面２３ｂは、キャップ１１の内周面に接するようになっている（図４参照。）。
【００４２】
次に、水素発生部３１は、図４〜図６に示すように、美容液の水分を電気分解するための電極部３が備える陽極３０と陰極３１のうち陰極３１であり、美容液の水分を電気分解することで、この陰極３１から水素が発生するようになっている。また、陽極３０からは酸素が発生するようになっている。
水を電気分解した場合、発生する気体の体積は、水素：酸素＝２：１とされており、水素は、美容液中において酸素の２倍の量の体積で発生することになる。
なお、電極部３を構成する陽極３０及び陰極３１としては、例えば白金や金等の貴金属電極が採用されているが、炭素電極のような安価な電極であってもよい。
【００４３】
電極部３は、美容液収容部２における深部領域２ａに設けられている。電極部３の上端部は、深部領域２ａと浅部領域２ｂとの境界よりも下方に位置しているか、若しくは、深部領域２ａと浅部領域２ｂとの境界と略等しい高さに位置している。つまり、陽極３０及び陰極３１を備えた電極部３は、深部領域２ａに収容された美容液に完全に漬かった状態となる。
さらに、水素発生部である陰極３１は、深部領域２ａを構成する周壁２０５との間に隙間を空けて配置されている。より具体的に説明すると、陰極３１は、周壁２０５を構成する第一周壁２０５ａとの間に隙間Ｓを空けて配置されている。
【００４４】
より詳細に説明すると、深部領域２ａを構成する周壁２０５は、上述のように第一周壁２０５ａと、当該第一周壁２０５ａと対向し、かつ傾斜部２０４の下端部と一体形成された第二周壁２０５ｂと、を備えている。
また、このような周壁２０５のうち、第一周壁２０５ａは、陰極３１側及び隙間Ｓ側に位置しており、第二周壁２０５ｂは、陽極３０側に位置している。
そして、陰極３１と第一周壁２０５ａとの間隔（すなわち、図４における隙間Ｓの左右の幅）は、陽極３０と第二周壁２０５ｂとの間隔よりも広く設定されている。換言すれば、電極部３自体が、第一周壁２０５ａからは離間し、第二周壁２０５ｂに極力寄るように配置されている。
【００４５】
陽極３０と陰極３１は、互いの間に僅かな隙間が形成されるように配置されている。また、これら陽極３０及び陰極３１のそれぞれには、電気を供給するための給電端子３０ａ，３１ａが接続されている。
給電端子３０ａ，３１ａは、上述のように、底面板部２０６に形成された貫通孔（図示省略）を通されて深部領域２ａに設けられている。なお、給電端子３０ａ，３１ａが通された貫通孔には漏水を防ぐ樹脂等のシーリング材が充填されている。
また、上述のように、陽極３０及び陰極３１は、第二周壁２０５ｂに極力寄って配置されているため、陽極３０に電気を供給する給電端子３０ａは、図５に示すように、傾斜部２０４及び第二周壁２０５ｂを一部切り欠いて形成されたスペースに配置されている。
【００４６】
給電端子３０ａ，３１ａを通じて供給される電気の供給源となる電源部３２は、図３，図４に示すように、ケース１０内に収納されている。
より詳細には、本実施形態における電源部３２は乾電池であり、ケース１０内に設けられた乾電池ケース３２ａに収納されている。電源部３２である乾電池は、下蓋１０ａを取り外すことでケース１０から取り出すことができる。また、乾電池３２を収納してから下蓋１０ａをケース１０下端部に取り付けることで電気の供給が可能な状態となる。
なお、本実施形態における電源部３２は、このように乾電池であるとしたが、これに限られるものではなく、充電池を用いてもよい。電源部３２として充電池を用いる場合は、図９に示すように充電器１３が必要となる。
図９に示す充電器１３は、上面に、吐出装置１を保持する筒状の保持部１３ａを備えており、保持部１３ａに吐出装置１を差し込むようにして充電できるようになっている。このような場合、吐出装置１の下蓋１０ａに、充電器の端子が露出して設けられているものとする。
【００４７】
電源部３２から給電端子３０ａ，３１ａを介して陽極３０及び陰極３１に電気を供給する場合は、制御部によって制御が行われている。美容液の水分を電気分解する際に、電気を供給する時間が長すぎると電気の無駄が生じ、逆に短すぎると水素が十分に発生しない。そのため、制御部は、美容液収容部２に入れられる美容液の量に応じて最適な時間で電気を供給できるように制御を行っている。
【００４８】
制御部は、図３，図４，図６に示すように、制御基板３３と、コネクタ３４と、スイッチ３５と、光源３６と、を備えている。
制御基板３３は、制御部による電源部３２の制御を司るものであり、上述のように、一対の基板保持部２０７によって保持されている。
コネクタ３４は、電源部３２からの電気を給電端子３０ａ，３１ａに流す部品である。
スイッチ３５は、電極部３による美容液の水分を電気分解する際の電源オン・オフを切り替える操作部であり、透明又は透光性を有する材質のものであり、本実施形態においては樹脂によって構成されている。なお、このスイッチ３５は、ケース１０に形成された指掛かり１２の一つに対応した位置に設けられている。
光源３６は、例えばＬＥＤが採用されており、底部２０の立ち上がり部２０２によって囲まれて形成された空間内に配置されている。そして、制御部によって、電極部３による美容液の電気分解中に点灯又は点滅するように制御されている。この光源３６による光は、透明又は透光性を有する底部２０、蓋部２１、スイッチ３５から外部に漏れるようになっている。
【００４９】
次に、ポンプ４は、美容液収容部２に収容されて水素が溶存した美容液を汲み上げて吐出するためのポンプユニットであり、図２，図４に示すように、美容液収容部２の蓋部２１における注ぎ口部２１３に取り付けられている。そして、上述のように、上端部のプッシュボタン４２（後述する。）を押下することで、内部の水素溶存美容液を吐出できるようになっている。このようなポンプ４は、美容液収容部２における美容液の収納空間が気密となるように設けられている。
このようなポンプ４は、シリンダ４０と、取付筒部４１と、プッシュボタン４２と、を備えている。
【００５０】
シリンダ４０は、ピストン、バネ、逆止弁等の必要部品（いずれも図示省略。）が内装された筒状体であり、下端部が、美容液収容部２に収容された美容液内に差し入れられる吸い込み部４０ａとなっている。
吸い込み部４０ａは、ポンプ４が蓋部２１の注ぎ口部２１３に取り付けられた状態において、美容液収容部２を構成する部位のいずれにも接触しておらず、美容液収容部２に収容された美容液に浸かった状態となっている。
また、吸い込み部４０ａは、ポンプ４が蓋部２１の注ぎ口部２１３に取り付けられた状態において、美容液収容部２の底部２０における傾斜部２０４の上方に位置している。また、この吸い込み部４０ａは、吐出装置１の軸線上に位置しているものとする。
【００５１】
取付筒部４１は、シリンダ４０を下方に突出する状態で保持するとともに、プッシュボタン４２を上方に突出する状態で保持し、蓋部２１の注ぎ口部２１３に取り付けられる筒状体である。
取付筒部４１の内周面には、上記した注ぎ口部２１３の外周面に形成された雄ネジと噛み合う雌ネジが形成されている。
ポンプ４を蓋部２１の注ぎ口部２１３に取り付ける際は、取付筒部４１の内周面における雌ネジと、注ぎ口部２１３の外周面における雄ネジとを噛み合わせるようにしながら取付筒部４１を回転させて、当該取付筒部４１を徐々に下方に移動させる。これにより、ポンプ４を蓋部２１の注ぎ口部２１３に取り付けて連結することができる。
なお、取付筒部４１は、金属又は金属様に加工された樹脂によって構成されており、光を通過させないものとなっている。
【００５２】
プッシュボタン４２は、吐出口４２ａが形成された筒状の壁部と上面板部を有してシリンダ４０の上端部に被せられるようにして設けられた操作部であり、シリンダ４０のバネによる付勢力によって上方に付勢された状態となっている。
なお、プッシュボタン４２は、金属又は金属様に加工された樹脂によって構成されており、光を通過させないものとなっている。
また、吐出口４２ａは、水素溶存美容液を吐出させる型の機構とされているが、収容される美容液の粘度に応じて、噴霧が可能な型の機構に替えてもよい。
【００５３】
ポンプ４の吐出口４２ａから水素溶存美容液を吐出する際は、プッシュボタン４２の上面板部を下方に押し、シリンダ４０のバネによる付勢力で元の位置に戻す昇降操作を行うことで水素溶存美容液を吐出できるようになっている。
なお、ポンプ４の吐出口４２ａと、傾斜部２０４における前記一つの頂点の部分は、図４に示すように、向きが揃っている状態で使用することが好ましい。すなわち、上述のように、吐出装置１が傾けられて、美容液が、深部領域２ａから浅部領域２ｂに移された時は、傾斜部２０４における前記一つの頂点に向かって寄り集まりながら流れていく。さらに、吐出される美容液は、手の平で一旦受けて使用されることが多い。そのため、吐出口４２ａも、傾斜部２０４における前記一つの頂点の部分がある方向に向けられている方が都合がよい。したがって、ポンプ４の吐出口４２ａと、傾斜部２０４における前記一つの頂点の部分は、向きが揃っている状態で使用することが好ましい。
また、スイッチ３５のある位置と、傾斜部２０４における前記一つの頂点部分の位置とが揃うように配置されていれば、吐出装置１を外側から見て、傾斜部２０４における前記一つの頂点部分の位置を判別することができるので好ましい。
【００５４】
美容液収容部２に収容される美容液については、保湿成分や美白成分などの美容成分が濃縮して配合された液体である。配合される成分としては、例えばビタミンＣやビタミンＥ、アルブチン、レチノール、ヒアルロン酸、コラーゲン、ハトムギエキス、海藻エキス、トラネキサム酸、エラスチン等、様々なものが挙げられる。
なお、本実施形態における美容液は、一般に販売されている所謂美容液を指すものとするが、これに限られるものではない。すなわち、保湿成分や美容成分などの美容成分が配合された液体であって、吐出装置１によって吐出でき、水素を溶存させることが可能なものであれば特に限定されるものではなく、一般に販売されている各種の化粧水や香水等であってもよい。
【００５５】
美容液収容部２に収容される美容液は、図示はしないが、ディスポーザブルタイプの液体容器に小分け（例えば２ｃｃ程度）にして封入されており、１回ずつ使い捨てで使用することができる。一方、美容液収容部２も、このような１回分の美容液を収容可能な容積に設定されているものとする。
すなわち、美容液収容部２に収容される美容液の量は、美容液収容部２の許容収容量内に収まり、かつ水素を溶存させやすい量に設定されていることが望ましい。これに対応して、美容液収容部２の許容収容量も設定されているものとする。
【００５６】
美容液中の水分を電気分解する場合は、スイッチ３５を押して電源オン状態とし、電源部３２からコネクタ３４及び給電端子３０ａ，３１ａを通じて、陽極３０及び陰極３１へと電気を供給する。
なお、この時、光源３６にも電気が供給されて点灯する。点灯中は水素が発生している最中であることを表すものとする。
【００５７】
電気が供給された陰極３１からは水素が発生し、深部領域２ａにおける隙間Ｓと浅部領域２ｂに放出されることとなり、美容液中に広がりやすい。そして、美容液中に放出された水素は、美容液に溶存した状態となる。すなわち、水素溶存美容液として美容液収容部２に収容された状態となる。
なお、この時、陽極３０からは酸素が発生するが、隙間Ｓ側には放出されないため、水素に比して美容液中に広がりにくい。
【００５８】
このようにして電気分解が行われて一定の時間が経過したら、電源部３２からの電気の供給がストップし、電源オフの状態となる。この時、光源３６も光が消えて水素の発生工程が完了したことを吐出装置１の使用者に知らせることができるようになっている。
水素の発生工程が完了したら、プッシュボタン４２を昇降操作することで、水素溶存美容液を吐出口４２ａから吐出させることができる。使用者は、水素溶存美容液を皮膚に塗布するなどして直接供給して使用する。
【００５９】
以上のような電気分解は、制御基板３３によって制御されている。電気分解を行う時間は、例えば数十秒から数分程度であり、制御基板３３に対して予めプログラムされているものとする。なお、水素の発生を強制的に停止したい場合は、スイッチ３５を操作して電源部３２を電源オフ状態とすることにより可能となっている。
【００６０】
本実施の形態によれば、水素発生部３１は、美容液収容部２のうち深い位置の深部領域２ａに設けられ、かつ深部領域２ａを構成する周壁２０５との間に隙間Ｓを空けて配置されているので、水素発生部３１から発生する水素は、当該隙間Ｓと美容液収容部２の上方の領域（浅部領域２ｂ）に放出され、美容液収容部２内に広がりやすくなる。
また、ポンプ４は、当該ポンプ４の下端部に設けられ、かつ美容液収容部２に収容された美容液内に差し入れられる吸い込み部４０ａを有するので、美容液収容部２に収容された美容液を、吸い込み部４０ａを通じてポンプ４で汲み上げて確実に吐出することができる。
これによって、美容液中に水素を十分に溶存させることができ、水素を十分に溶存させた美容液を確実に吐出することが可能となる。
【００６１】
また、水素発生部３１は、美容液の水分を電気分解するための電極部３が備える陽極３０と陰極３１のうち陰極３１であるため、陰極３１である水素発生部３１から、陽極３０から発生する酸素の２倍の体積の水素を発生させることができる。これによって、酸素に比して量が多く発生する水素を美容液中に溶存させることができる。
【００６２】
また、陰極３１と第一周壁２０５ａとの間隔は、陽極３０と第二周壁２０５ｂとの間隔よりも広く設定されているので、陰極３１である水素発生部３１から発生する水素は、陰極３１と第一周壁２０５ａとの間の隙間Ｓを利用して、酸素よりも美容液中に広がりやすくなる。反対に、陽極３０から発生する酸素は、第二周壁２０５ｂとの間隔が狭いため、水素よりも美容液中に広がりにくくなる。
【００６３】
また、深部領域２ａは、美容液収容部２のうち浅い位置の浅部領域２ｂよりも窄まるように形成されて容積が小さく設定されているので、深部領域２ａから美容液収容部２内に広がろうとする水素が、上方の浅部領域２ｂに向かうにつれて広く拡散するため、水素発生部３１から発生する水素は、美容液収容部２内に、より広がりやすくなる。
【００６４】
また、美容液収容部２は、浅部領域２ｂから深部領域２ａに向かって傾斜する傾斜部２０４を有しているので、深部領域２ａから美容液収容部２内に広がろうとする水素が、傾斜部２０４に沿って拡散することになり、美容液収容部２内における水素の部分的な滞留が起きにくくなる。
また、このように美容液収容部２が傾斜部２０４を有していれば、美容液が美容液収容部２に収容された場合に、例えば傾斜部２０４がない場合に比して、美容液の水位を高くすることができるので、ポンプ４の吸い込み部４０ａを必要以上に、美容液収容部２の深い位置まで差し入れなくても、美容液の汲み上げを行うことができる。
さらに、浅部領域２ｂから深部領域２ａに向かって傾斜する傾斜部２０４の上方に、ポンプ４の吸い込み部４０ａが位置しているので、例えば吐出装置１を傾けて、美容液を深部領域２ａから浅部領域２ｂの傾斜部２０４側に移した場合に水面の高さが高くなる。そのため、美容液を、吸い込み部４０ａを通じてポンプ４で汲み上げやすくなり、美容液収容部２内に残存する美容液の量を少なくすることができる。
【符号の説明】
【００６５】
Ｓ  隙間
１  吐出装置
２  美容液収容部
２ａ  深部領域
２ｂ  浅部領域
３  電極部
４  ポンプ
１０  ケース
１１  キャップ
２０  底部
２１  蓋部
２２  パッキン
２３  連結部
３０  陽極
３０ａ  給電端子
３１  陰極（水素発生部）
３１ａ  給電端子
３２  電源部
３３  制御基板
３５  スイッチ
３６  光源
４０  シリンダ
４０ａ  吸い込み部
４２  プッシュボタン
４２ａ  吐出口
２０４  傾斜部
２０５  周壁
２０５ａ  第一周壁
２０５ｂ  第二周壁
【図１】
2019042140.tif 000003
【図２】
2019042140.tif 000004
【図３】
2019042140.tif 000005
【図４】
2019042140.tif 000006
【図５】
2019042140.tif 000007
【図６】
2019042140.tif 000008
【図７】
2019042140.tif 000009
【図８】
2019042140.tif 000010
【図９】
2019042140.tif 000011